(57)【要約】      （修正有）【課題】焼却炉の中のゴミ等を焼却するのに周辺の空気を濁さないで、効率よく短時間で焼却が可能な焼却炉を提供する。【解決手段】焼却炉１の中にゴミ等を一杯に詰めてから、焼却の自動運転を開始すると、焼却炉の中は、ゴミ等に火が付いて炎で一杯になり、その時、吸出機４０が、強力な回転をして焼却炉の中の煙、有害ガス、灰の全てを煙突を通して引き込んで洗浄器１１に噴出すので、灰はそのまま沈殿槽に流されて沈下し、煙と有害ガスは気体だから洗浄器の空間を通り抜けて右側のガスパイプ３８の中に流されて、送風機６０から連続に流れる風に交わって焼却炉の中に流れ込む。焼却炉１の中は連続に流れ込む風の勢いと、吸出機から引き込まれる空気の流れで、火力も勢いを増して焼却炉１の中は、右から左に流れる空気で、ゴミ等を素早く焼いて、空中に煙も有害ガスも灰も全く出さないで一気に短時間で焼却することが、可能である。【選択図】図１
2008232607.tif 000002
【特許請求の範囲】
【請求項１】
地下に沈めてある焼却炉１の下左側から地上に伸びてある煙突３４の突先に、吸出機４０の吸入口４５を密閉に取り付けて固定し、下向きの噴出口４６を洗浄器１１の左上の注入口２１に密閉に取り付けて固定してある。洗浄器の右側の横上から、地下の焼却炉の右横の下にガスパイプ３７を配管する。右側の地上に出してあるガスパイプの上を二股にして、上り向きになってあるガスパイプの突先に強力な送風機６０を設置して固定する。以上で、焼却炉１の中で、ゴミ等の焼却開始の運転を始めると、１の中は、忽ち炎で一杯になり、４０が始動開始するため羽５４が、連続回転をして強力な５４の引力で、強引に１の中の煙、灰、有害ガスを３４の中に引き込み４０の中に吸い上げて１１の水面にたたきつけるような勢いで噴出される。その時に、灰と、ガスが、分別される。灰は其の儘、水の中に沈下して沈殿槽３０の中に流れて沈下する。煙と有害ガスは、洗浄器の水面と天井裏の突起の間を縫うようにして潜り抜けて右側のガスパイプ３８の中に押し流されるが、この時ガスパイプの右上の突先に設置して固定してある強力な送風機６０が始動して、外の空気を風に換えて、ガスパイプ３７の中を連続に流れる風力で全てを風と共に焼却炉１の中に押し流して燃焼するので運転中は、このような事の繰り返し連続回転運転をするため、煙、ガス、灰、全てを空中に出さないで、完全に燃焼することが可能な焼却装置。
【請求項２】
洗浄器１１の内部の天井は、二重構造になって、天井裏には水が、一杯に入ってある。天井下には鉄板で突起を下の水中まで一枚とび毎に固定しておき、水中まで固定された鉄板の上には、煙とガスの通り抜ける穴１０を横長に開けて固定して、噴水装置を天井下に固定する。洗浄器の内部の下部は水を、水面の位置まで一杯に溜めておき、この水で、灰と、煙やガスを分別に洗い分けて、灰は水中に沈下して沈殿槽に流れて沈下する。煙とガスは水しぶきに晒されて洗浄されながら突起の間を縫うようにして潜り抜けて右側のガスパイプの中に流れて送風機から連続に流れる風と共に焼却炉の中に流れて燃焼するようにしたところの、全てを焼却炉の中で完全に燃焼することが可能な焼却装置。
【請求項３】
ガスパイプ３７は、右上を二股にしてパイプの上突先に送風機を設置して固定する。この送風機で外部の空気を風に変えて連続に流れる強力な風力で、ガスパイプの中の煙と有害ガスを風と共に焼却炉の中に送り込んで燃焼するので、全てを焼却炉の中で完全に燃焼することが可能な焼却装置。
【請求項４】
吸出機４０は、焼却炉１の中を安全の為に、煙やガスで、高圧力が上がらない様にするためには、送風機よりも大きい容量の引力が必要とするから、パイプの大きさと動力の出力も、送風機よりも大きい物を特徴として、煙突の周囲は高熱に成らない様にするため沈殿槽の中を通すか、又は煙突の周囲を水で囲んで冷却装置にしたところの煙とガスと灰を空中に出さないで、全てを焼却炉の中で完全に燃焼することが可能な焼却装置。
【請求項５】
安全のために、地下に沈めてある焼却炉の蓋を半開のときは水平にスライドして蓋を二段重ねにする。全開のときは蓋を二段重ねにしたまま水平にスライドして全開する。閉じるときは、この逆の手順をして安全に１から４のいずれかに記載の煙とガスと灰を空中に出さないで、全てを焼却炉の中で完全に燃焼することが可能な焼却装置。
【請求項６】
沈殿槽３０に、給水ポンプ６２を設置して、各称の配置に配管を設置して中間にもＴ型ソケット６６を固定して防火用水の蛇口を設置する。このポンプ６２の水が、各称の配置に巡回して、最後に沈殿槽に流れ込む様にしたところの煙も、灰も、有害ガスも、全く空中に出さないで安全に焼却炉の中で、燃やして消滅することが、可能な焼却装置。
【発明の詳細な説明】
【技術分野】
【０００１】本発明は、焼却炉の中でゴミ等を焼却することに、周辺の空気を濁さないで効率よく焼却することに関する。
【背景技術】
【０００２】従来、焼却炉の中で、ゴミ等を焼却することについては、煙突を空高くしてゴミ等を焼却していたため、煙、有害ガス、灰までを煙突から出るもの全てを煙突の突先から空中にばら撤いていたので、衛生上、空気が濁って害に成ることが、世界に注目されたので、現在は改良されて煙突の突先から出る有害物質の量も減少してあるが、煙突を空中に出して、利用されている間は、地球温暖化防止低下には、煙突の突先から、二酸化炭層が、ガスに含まれて出るので未だ、不可能である。【０００３】焼却炉の中で焼却された後の灰の始末においても、灰が乾燥しているために、取出す時においても、灰埃が、空中に舞い上がって空気を濁らすために作業も困難であり、衛星的環境上においても、悪影響が明らかである。
【発明が解決しようとする課題】
【０００４】従来の焼却炉では、ゴミ等を焼却する事においても、地上で焼却するため焼却炉の外周に熱をもたらし、二酸化炭素を発生して空中の空気が変化して目には見えない悪影響を起こす恐れがある。
【課題を解決するための手段】
【０００５】上記の問題点を解決するために、本発明は、焼却炉の本体を地下に沈めて、ゴミ等を焼却する事にした。
【発明を実施するための最良の形態】
【０００６】本発明は、焼却炉本体を、地下に沈めて、焼却炉の蓋を開いて、地上から焼却炉の中に、ゴミ等を焼却炉１の底から約６合目程の高さまでに投入して、焼却炉の蓋を完全にスライドして閉じて、焼却の運転を開始すると、全部の機械が動いて、焼却炉の中から出る煙、ガス、灰の全てを空中に出さないで、灰は、沈殿槽の中に処理して、煙とガスは、再度、焼却炉の中に送り込んで完全に燃焼するから、全て、焼却炉から出る物質を、空中に出さないで処理するため、二酸化炭素を抑えることが可能である。【０００７】尚、本発明の焼却炉の焼却方式であれば、煙突を従来のように空高くする必要がない。煙突の突先が吸出機の吸入口に固定されたらよい。又、現在の課題になっている全ての焼却炉から、空中に出る二酸化炭素を抑えて、低下することも可能である。
【実施例】
【０００８】  実施例について図面を参照して説明すると、図１において、地中に沈めてある焼却炉１の蓋６を水平にスライドして開いて、焼却炉１の中にゴミ等を下から約６合目程度まで、地上から投げ込んで、蓋６をスライドして、もとの位置に蓋を完全に閉じてから、運転を開始する。【０００９】運転を開始されたら焼却炉１の中にバーナ６７から出る炎５がゴミ等に燃え移り、焼却炉１の中は炎で一杯になって燃え広がる。【００１０】その時、吸出機４０が、高速回転をして煙突３４の排気口３から、焼却炉の中の煙、ガス、灰、全てを吸い上げて噴出口４６から２１にきて洗浄器の水面１９に叩き付けるように強く噴出される。【００１１】噴出された灰は、そのまま水２０の中に沈んで沈殿槽３０に流れて水３３の中に沈下する。【００１２】煙を含んだ有害ガスは、気体なので中に浮かび洗浄室１３の突起１６，１７の間を水飛沫に晒されながら縫うようにして潜り抜けて排出パイプ３８の中に流れる。【００１３】排出パイプの中に流れた有害ガス１０は、送風機６０で外部の空気を取り入れて風に変えてガスパイプ３７の中に強く連続に流し込むと、その風の流れに従って風と共に進入口３９を通って焼却炉１の中に流れ込む。【００１４】焼却炉１の中に流れ込んだ混合ガスは、焼却炉の中でゴミ等が燃える熱の力で尚、熱を増して勢いよく燃え上がるので、ゴミ等が、焼き尽きるまでは、運転中これまでのことを同じ繰り返し運転を続けるため、煙と有害ガスは焼却炉の中で完全に燃え尽きて消滅することが可能になる。【００１５】沈殿槽又は、溜池に、沈下してある灰は、時期的に取り除けばよい。取り除く時は、水の中に晒されてあるから空中に灰が舞い上がることはない。【００１６】煙突パイプ３４の外周を大きく鉄板で囲んで空中の空気に熱を与えないように、沈殿槽又は、溜池の水３３を給水ポンプ６２で汲み上げて、煙突から洗浄器を冷却して沈殿槽の中に再度、巡回する様にしてある。【００１７】吸出機４０は働力４１の回転力で、回転しているから、煙突からの熱が直接動力に伝わることが無いので安定した回転が得られる。
【発明の効果】
【００１８】本発明は、以上説明したような形態で実施され、以下に記載されるような効果を示している。
【００１９】図１に、示されてあるように、焼却炉１の本体の殆どを地の中に沈めてあるので、焼却炉の中にゴミ等を地上から投げ込んで投入しても容易に入れることが可能である。
【００２０】同じく焼却炉の中にゴミ等を投げ込んでも、一度に大量のゴミ等を詰め込むことが可能である。
【００２１】焼却炉の中に大量のゴミ等を詰め込んで一度に燃やしても、図２に示してあるように、煙、ガス、灰は、それぞれの機械と器械の配置の順次に流されるから、焼却炉の中から出る煙、有害ガス、灰は、全く空中に出さないで焼却することが可能である。
【００２２】尚、焼却炉本体は、地の中に沈めてあるから、ゴミ等も地の中で高熱で燃してあるから、地上の空気中には、それだけの熱が伝わらないため、周囲の空気を暖めることなく、二酸化炭素も大幅に削減することが可能である。
【００２３】同じクラスの大きさの焼却炉と比較してゴミ等を燃やしたとしても、本発明の焼却炉の方が、同じゴミ等の量を短時間で燃やし尽すことが可能である。
【図面の簡単な説明】
【００２４】
【図１】本発明の焼却炉に関する全体の側面図である。
【図２】本発明の全体の配置を示したところの上からの見下げ平面図である。
【図３】本発明の全体の側面図に対して洗浄器の一部断面図である。
【図４】吸出機の正面から見たところの断面図である。
【図５】吸出機の側面から見たところの断面図である。
【図６】洗浄器の断面図である。
【図７】締め付けボルトである。
【図８】焼却炉の蓋とレールを示す側面図である。
【符号の説明】
【００２５】１      焼却炉本体
２      煙、灰を含んだ有害ガス
３      排気口とパイプ
４      吸気口とパイプ
５      点火口とパイプ
６      焼却炉の蓋
７      レール
８      レール
９      ストッパ
１０    有害ガス
１１    洗浄器本体
１２    水槽タンク
１３    洗浄室
１４    洗浄室の天井
１５    噴水パイプ
１６    洗浄板
１７    洗浄板
１８    水面位置オーバの水流口とパイプ
１９    洗浄器の内部の水面位置
２０    洗浄器内部の水
２１    煙と灰を含んだ有害ガスの噴出しこうとパイプ
２２    灰を含んだ水流口
２３    配管バルブ
２４    配管パイプ
２５    点検口の蓋
２６    洗浄器の内部の点検及び補修をするための仕切り盤
２７    枕台
２８    ボルト穴
２９    固定用の六角ボルト
３０    沈殿槽
３１    給水口とパイプ
３２    水面
３３    沈殿槽の水
３４    煙突パイプ
３５    冷却用水パイプ
３６    有害ガスと空気との混合ガス
３７    混合ガスパイプ
３８    有害ガスの排出パイプ
３９    有害ガスと空気との混合ガスの進入口
４０    吸出機の本体
４１    電動モータの本体
４２    電動モータのホイル
４３    ベルト
４４    吸出機のホイル
４５    吸入口とパイプ
４６    噴出口とパイプ
４７    吸出機の外周枠
４８    羽と外周枠との空間
４９    軸
５０    軸受け
５１    腕
５２    ドウナツ形の羽止め鉄板
５３    固定用のボルト
５４    羽
５５    固定腕
５６    固定足
５７    固定穴
５８    羽止め円盤
５９    送風機から流れる風
６０    送風機本体
６１    送風パイプ
６２    給水ポンプ本体
６３    送水配管パイプ
６４    給水パイプ
６５    網
６６    Ｔ型ソケット配管と蛇口
６７    点火バーナ本体
６８    送火パイプ
【図１】
2008232607.tif 000003
【図２】
2008232607.tif 000004
【図３】
2008232607.tif 000005
【図４】
2008232607.tif 000006
【図５】
2008232607.tif 000007
【図６】
2008232607.tif 000008
【図７】
2008232607.tif 000009
【図８】
2008232607.tif 000010
【手続補正書】
【提出日】平成20年4月24日(2008.4.24)
【手続補正１】
【補正対象書類名】特許請求の範囲
【補正対象項目名】全文
【補正方法】変更
【補正の内容】
【特許請求の範囲】
【請求項１】
地下に沈めてある焼却炉１の下左側から地上に伸びている煙突３４の突先に、吸出機４０の吸入口４５を密閉して取り付け固定し、下向きの噴出口４６を洗浄器１１の左上の注入口２１に密閉して取り付け固定し、
洗浄器１１の右側の横上から、地下の焼却炉１の右横の下にガスパイプ３７を配管し、
焼却炉１の右側から地上に出したガスパイプの上部を二股にし、
前記二股のうち上方向のガスパイプ５９の突先に強力な送風機６０を設置して固定する構造を採用することにより、
焼却炉１の中で、ゴミ等の焼却開始の運転を始める際には、
焼却炉１の中は、忽ち炎で一杯になり、
吸出機４０の始動を開始することにより羽５４が、連続回転をして、
羽５４の強力な吸引力により、焼却炉１の中の煙、灰、有害ガスを、
煙突３４の中に強制的に引き込み、吸出機４０の中に吸い上げて洗浄機１１の水面にたたきつけるような勢いで噴出させ、
その時に、灰と、ガスが、分別され、
灰は其の儘、水の中に沈下して沈殿槽３０の中に流れて沈下し、
煙と有害ガスは、洗浄室の水面と天井１４裏の突起１６、１７の間を縫うようにして潜り抜けて右側のガスパイプ３８の中に押し流され、
この時、ガスパイプの右上の突先に設置して固定してある強力な送風機６０が始動させて、外の空気を風に換えて、ガスパイプ３７の中を連続に流れる風力で全てを風と共に焼却炉１の中に押し流して燃焼することにより、
運転中には、煙、ガス、灰、全てを空中に放出することなく、完全燃焼する機能を有することを特徴とする焼却装置。
【手続補正２】
【補正対象書類名】明細書
【補正対象項目名】全文
【補正方法】変更
【補正の内容】
【発明の詳細な説明】
【技術分野】
【０００１】
本発明は、焼却炉の中でゴミ等を焼却することに、周辺の空気を濁さないで効率よく焼却することに関する。
【背景技術】
【０００２】
従来、焼却炉の中で、ゴミ等を焼却することについては、煙突を空高くしてゴミ等を焼却していたため、煙、有事ガス、灰までを煙突から出るもの全てを煙突の突先から空中にばら撒いていたので、衛生上、空気が濁って害に成ることが、世界に注目されたので、現在は改良されて煙突の突先から出る有害物質の量も減少してあるが、煙突を空中に出して、利用されている間は、地球温暖化防止低下には、煙突の突先から、二酸化炭層が、ガスに含まれて出るので未だ、不可能である。
【０００３】
焼却炉の中で焼却された後の灰の始末においても、灰が乾燥しているために、取出す時においても、灰境が、空中に舞い上がって空気を濁らすために作業も困難であり、衛生的環境上においても、悪影響が明らかである。
【特許文献１】特開２００１−０２１１２０号公報
【特許文献２】特開平１０−１９６９１８号公報
【特許文献３】特開昭６２−１８７６１９号公報
【発明の開示】
【発明の効果】
【０００４】
本発明は、以上説明したような形態で実施され、以下に記載されるような効果を示している。
【０００５】
図１に、示されてあるように、焼却炉１の本体の殆どを地の中に沈めてあるので、焼却炉の中にゴミ等を地上から投げ込んで投入しても容易に入れることが可能である。
【０００６】
同じく焼却炉の中にゴミ等を投げ込んでも、一度に大量のゴミ等を詰め込むことが可能である。
【０００７】
焼却炉の中に大量のゴミ等を詰め込んで一度に燃やしても、図２に示してあるように、煙、ガス、灰は、それぞれの機械と器械の配置の順次に流されるから、焼却炉の中から出る煙、有事ガス、灰は、全く空中に出さないで焼却することが可能である。
【０００８】
尚、焼却炉本体は、地の中に沈めてあるから、ゴミ等も地の中で高熱で燃してあるから、地上の空気中には、それだけの熱が伝わらないため、周囲の空気を暖めることなく、二酸化炭素も大幅に削減することが可能である。
【０００９】
同じクラスの大きさの焼却炉と比較してゴミ等を燃やしたとしても、本発明の焼却炉の方が、同じゴミ等の量を短時間で燃やし尽すことが可能である。
【発明が解決しようとする課題】
【００１０】
従来の焼却炉では、ゴミ等を焼却する事においても、地上で焼却するため焼却炉の外周に熱をもたらし、二酸化炭素を発生して空中の空気が変化して目には見えない悪影響を起こす恐れがある。
【課題を解決するための手段】
【００１１】
上記の問題点を解決するために、本発明は、焼却炉の本体を地下に沈めて、ゴミ等を焼却する事にした。
【発明を実施するための最良の形態】
【００１２】
本発明は、焼却炉本体を、地下に沈めて、焼却炉の蓋を開いて、地上から焼却炉の中に、ゴミ等を焼却炉１の底から約６合目程の高さまでに投入して、焼却炉の蓋を完全にスライドして閉じて、焼却の運転を開始すると、全部の機械が動いて、焼却炉の中から出る煙、ガス、灰の全てを空中に出さないで、灰は、沈殿槽の中に処理して、煙とガスは、再度、焼却炉の中に送り込んで完全に燃焼するから、全て、焼却炉から出る物質を、空中に出さないで処理するため、二酸化炭素を抑える、ことが可能である。
【００１３】
尚、本発明の焼却炉の焼却方式であれば、煙突を従来のように空高くする必要がない。煙突の突先が吸出機の吸入口に固定されたらよい。又、現在の課題になっている全ての焼却炉から、空中に出る二酸化炭素を抑えて、低下することも可能である。
【実施例】
【００１４】
実施例について図面を参照して説明すると、図１において、地中に沈めてある焼却炉１の蓋６を水平にスライドして開いて、焼却炉１の中にゴミ等を下から約６合目程度まで、地上から投げ込んで、蓋６をスライドして、もとの位置に蓋を完全に閉じてから、運転を開始する。
【００１５】
運転を開始されたら焼却炉１の中にバーナ６７から出る炎５がゴミ等に燃え移り、焼却炉１の中は炎で一杯になって燃え広がる。
【００１６】
その時、吸出機４０が、高速回転をして煙突３４の排気口３から、焼却炉の中の煙、ガス、灰、全てを吸い上げて噴出口４６から２１にきて洗浄器の水面１９に叩き付けるように強く噴出される。
【００１７】
噴出された灰は、そのまま水２０の中に沈んで沈殿槽３０に流れて水３３の中に沈下する。
【００１８】
煙を含んだ有害ガスは、気体なので中に浮かび洗浄室１３の突起１６，１７の間を水飛沫に晒されながら縫うようにして潜り抜けて排出パイプ３８の中に流れる。
【００１９】
排出パイプの中に流れた有害ガス１０は、送風機６０で外部の空気を取り入れて風に変えてガスパイプ３７の中に強く連続に流し込むと、その風の流れに従って風と共に進入口３９を通って焼却炉１の中に流れ込む。
【００２０】
焼却炉１の中に流れ込んだ混合ガスは、焼却炉の中でゴミ等が燃える熱の力で尚、熱を増して勢いよく燃え上がるので、ゴミ等が、焼き尽きるまでは、運転中これまでのことを同じ繰り返し運転を続けるため、煙と有害ガスは焼却炉の中で完全に燃え尽きて消滅することが可能になる。
【００２１】
沈殿槽又は、溜池に、沈下してある灰は、時期的に取り除けばよい。取り除く時は、水の中に晒されてあるから空中に灰が舞い上がることはない。
【００２２】
煙突パイプ３４の外周を大きく鉄板で囲んで空中の空気に熱を与えないように、沈殿槽又は、溜池の水３３を給水ポンプ６２で汲み上げて、煙突と洗浄器を冷却して沈殿槽の中に再度、巡回する様にしてある。
【００２３】
吸出機４０は動力４１の回転力で、回転しているから、煙突からの熱が直接動力に伝わることが無いので安定した回転が得られる。
【００２４】
本願発明に係る焼却装置は、洗浄器１１の内部の天井１４は、二重構造になって、天井裏には水が、一杯に入っており、天井下には鉄板で突起を下の水中まで一枚とび毎に固定しておき、水中まで固定された鉄板の上には、煙とガスの通り抜ける穴１０を横長に開けて固定して、噴水装置を天井下に固定する。洗浄器の内部の下部は水を、水面の位置まで一杯に溜めておき、この水で、灰と、煙やガスを分別に洗い分けて、灰は水中に沈下して沈殿槽に流れて沈下する。煙とガスは水しぶきに晒されて洗浄されながら突起の間を縫うようにして潜り抜けて右側のガスパイプの中に流れて送風機から連続に流れる風と共に焼却炉の中に流れて燃焼するようにしたところの、全てを焼却炉の中で完全に燃焼することが可能である。
【００２５】
本願発明に係る焼却装置は、吸出機４０は、焼却炉１の中を安全の為に、煙やガスで、高圧力が上がらない様にするためには、送風機よりも大きい容量の引力が必要とするから、パイプの大きさと動力の出力も、送風機よりも大きい物を特徴として、煙突の周囲は高熱に成らない様にするため沈殿槽の中を通すか、又は煙突の周囲を水で囲んで冷却装置にしたところの煙とガスと灰を空中に出さないで、全てを焼却炉の中で完全に燃焼することが可能である。
【００２６】
本願発明に係る焼却装置は、安全のために、地下に沈めてある焼却炉の蓋を半開のときは水平にスライドして蓋を二段重ねにする。全開のときは蓋を二段重ねにしたまま水平にスライドして全開する。閉じるときは、この逆の手順をして安全に１から４のいずれかに記載の煙とガスと灰を空中に出さないで、全てを焼却炉の中で完全に燃焼することが可能である。
【００２７】
本願発明に係る焼却装置は、沈殿槽３０に、給水ポンプ６２を設置して、各称の配置に配管を設置して中間にもＴ型ソケット６６を固定して防火用水の蛇口を設置する。このポンプ６２の水が、各称の配置に巡回して、最後に沈殿槽に流れ込む様にしたところの煙も、灰も、有害ガスも、全く空中に出さないで安全に焼却炉の中で、燃やして消滅することが、可能である。
【図面の簡単な説明】
【００２８】
【図１】本発明の焼却炉に関する全体の側面図である。
【図２】本発明の全体の配置を示したところの上からの見下げ平面図である。
【図３】本発明の全体の側面図に対して洗浄器の一部断面図である。
【図４】吸出機の正面から見たところの断面図である。
【図５】吸出機の側面から見たところの断面図である。
【図６】洗浄器の断面図である。
【図７】締め付けボルトである。
【図８】焼却炉の蓋とレールを示す側面図である。
【符号の説明】
【００２９】
１    焼却炉本体
２    煙、灰を含んだ有害ガス
３    排気口とパイプ
４    吸気口とパイプ
５    点火口とパイプ
６    焼却炉の蓋
７    レール
８    レール
９    ストッパ
１０    有害ガス
１１    洗浄器本体
１２    水槽タンク
１３    洗浄室
１４    洗浄室の天井
１５    噴水パイプ
１６    洗浄板
１７    洗浄板
１８    水面位置オーバの水流口とパイプ
１９    洗浄器の内部の水面位置
２０    洗浄器内部の水
２１    煙と灰を含んだ有害ガスの噴出口とパイプ
２２    灰を含んだ水流口
２３    配管バルブ
２４    配管パイプ
２５    点検口の蓋
２６    洗浄器の内部の点検及び補修をするための仕切り板
２７    枕台
２８    ボルト穴
２９    固定用の六角ボルト
３０    沈殿槽
３１    給水口とパイプ
３２    水面
３３    沈殿槽の水
３４    煙突パイプ
３５    冷却用水パイプ
３６    有害ガスと空気との混合ガス
３７    混合ガスパイプ
３８    有事ガスの排出パイプ
３９    有事ガスと空気との混合ガスの進入口
４０    吸出機の本体
４１    電動モータの本体
４２    電動モータのホイル
４３    ベルト
４４    吸出機のホイル
４５    吸入口とパイプ
４６    噴出口とパイプ
４７    吸出機の外周枠
４８    羽と外周枠との空間
４９    軸
５０    軸受け
５１    腕
５２    ドウナツ形の羽止め鉄板
５３    固定用のボルト
５４    羽
５５    固定腕
５６    固定足
５７    固定穴
５８    羽止め円盤
５９    送風機から流れる風
６０    送風機本体
６１    送風パイプ
６２    給水ポンプ本体
６３    送水配管パイプ１
６４    給水パイプ
６５    網
６６    Ｔ型ソケット配管と蛇口
６７    点火バーナ本体
６８    送火パイプ